(57)【要約】【課題】防犯用マーキング液噴射装置を操作する店舗の従業員に危害が及ぼされる可能性が低い防犯用マーキング液噴射装置の提供。【解決手段】本考案の防犯用マーキング液噴射装置は、店舗内の接客用カウンター近傍に配設された押釦スイッチ２４の押釦がオンされることにより電磁弁２２が開放状態となり、上水道２３から上水道水がマーキング液貯留タンク２１に流入し、該貯留タンク２１に貯留するマーキング液が、送液配管２６を通過して店舗の外側の所定位置に設置された噴射ノズル５１，５２，５３から噴射されるように構成されている。【選択図】        図２
0003150202.tif 000002
【実用新案登録請求の範囲】
【請求項１】
ア）マーキング液を貯留するマーキング液貯留タンクと、
イ）前記マーキング液貯留タンクと上水道との間に配管を介して配設される電磁弁と、
ウ）店舗内の接客用カウンター近傍に配設され、電気的に前記電磁弁が導通されることにより開放状態とするスイッチと、
エ）店舗の外側の所定位置に設置された前記マーキング液を噴射する噴射ノズルと、
オ）前記マーキング液貯留タンクと前記噴射ノズルとを連結する送液配管と、を備えていることを特徴とする防犯用マーキング液噴射装置。
【請求項２】
ア）マーキング液を貯留するマーキング液貯留タンクと、
イ）前記マーキング液貯留タンク内に配設され、前記マーキング液が流入する流入口と流入したマーキング液が排出される排出口を有する水中ウォーターポンプと、
ウ）店舗内の接客用カウンター近傍に配設され、電気的に前記水中ウォーターポンプが導通されることにより駆動状態とするスイッチと、
エ）店舗の外側の所定位置に設置された前記マーキング液を噴射する噴射ノズルと、
オ）前記水中ウォーターポンプの排出口と前記噴射ノズルとを連結する送液配管とを備えていることを特徴とする防犯用マーキング液噴射装置。
【請求項３】
前記スイッチが、更に店舗の出入口の扉と電気的に導通されており、マーキング液が排出されると同時に店舗の出入口の扉が閉った状態でロックされることを特徴とする請求項１又は請求項２に記載の防犯用マーキング液噴射装置。
【請求項４】
別のスイッチが前記スイッチとは異なった場所で、かつ店舗内の接客用カウンター近傍に配設され、前記別のスイッチは、直接、店舗の出入口の扉と電気的に導通されており、該スイッチをオンすると該扉が閉った状態でロックされることを特徴とする請求項１又は請求項２に記載の防犯用マーキング液噴射装置。
【考案の詳細な説明】
【技術分野】
【０００１】
本考案は、コンビニエンスストア、金融機関、貴金属店などの店舗で強盗行為を犯した犯人が店舗の出入口から逃走するとき、犯人に目印となるマーキング液を噴きつけ犯人の早期逮捕を支援する防犯用マーキング液噴射装置に関する。
【背景技術】
【０００２】
コンビニエンスストア、金融機関、貴金属店などの店舗への侵入強盗事件が後を絶たず、ときには尊い命が奪われることもあり、残念なことである。コンビニエンスストア、金融機関、貴金属店などの店舗では、既に防犯カメラや防犯ベルが設置されているところが多いにも関わらず、強盗事件が後を絶たないのが現実である。
【０００３】
警察庁がまとめた平成１９年上半期の犯罪情勢によれば、平成１９年上半期の強盗の認知件数は２，３８９件、検挙数は１，４１９件で、検挙率は５９．４％である。検挙率の推移は平成１７年以降改善されているが、前年同期比で０．９ポイント減少している。平成１９年上半期の強盗事件として認知されたコンビニエンスストア、金融機関、貴金属店などの店舗における防犯設備の設置・活用状況をみると、「防犯カメラ」は９９．１％設置されており、９４．３％が活用されている。また、「非常ベル」は８０．９％設置されているが、１７．６％の活用率となっている。一方、「カラーボール」は「防犯カメラ」に次いで設置率が高く８８．９％設置されているにも関わらず、活用率はわずか１１．５％である。
【０００４】
カラーボールを利用したものとして、犯罪等の逃走犯人や逃走車両に対して、蛍光塗料や発光塗料あるいは着色液などのマーキング液を収容した標識弾を発射する防犯用の標識弾発射装置がある（特許文献１を参照。）。特許文献１に記載の発明は、前端に放出口を有する筒体の内部に、後方から前方に向って順に火薬体受座と、引紐の引っ張り操作で爆発する火薬体と、この火薬体の爆発エネルギーを受けて前記放出口の方向へ瞬間的に高速移動する受圧体と、受圧体の放出口側への高速移動力により発射されるマーキング剤を収容した標識弾と、標識弾の脱落防止用止栓体とを収容し、受圧板を筒体と火薬受座との少なくともいずれか一方に連結紐で連結固定して防犯用標識弾発射装置を構成したものである。
【特許文献１】特開２００７−１９２５２４号公報
【考案の開示】
【考案が解決しようとする課題】
【０００５】
前述のような防犯用標識弾発射装置は、操作者が逃走犯人あるいは逃走車を目掛けてカラーボールを発射させるものであるが、標的となった逃走犯人あるいは逃走車が引き返してきて操作者に危害を加えることは十分に予期されることである。
【０００６】
したがって、本考案が解決しようとする課題は、万が一、侵入強盗事件に遭遇した場合であっても、防犯用マーキング液噴射装置を操作するコンビニエンスストア、金融機関、貴金属店などの店舗の従業員に危害が及ぼされる可能性が低い防犯用マーキング液噴射装置を提供することにある。
【０００７】
また、強盗の一般的な行動として、事前に侵入しようとする目標を観察し、侵入経路や逃亡経路を確認する。この際、防犯システムが設置されていると、強盗を犯そうとする人物に対してけん制機能が働き、侵入を断念させる効果も期待できる。
【０００８】
したがって、本考案が解決しようとする他の課題は、当該店舗には防犯用マーキング液噴射装置が設置されていることを強盗しようとする人物に気づかせ、未然に犯罪行為を防ぐ防犯用マーキング液噴射装置を提供することである。
【課題を解決するための手段】
【０００９】
前記課題を達成するために、（１）本考案に係る防犯用マーキング液噴射装置は、
ア）マーキング液を貯留するマーキング液貯留タンクと、
イ）前記マーキング液貯留タンクと上水道との間に配管を介して配設される電磁弁と、
ウ）店舗内の接客用カウンター近傍に配設され、電気的に前記電磁弁が導通されることにより開放状態とするスイッチと、
エ）店舗の外側の所定位置に設置された前記マーキング液を噴射する噴射ノズルと、
オ）前記マーキング液貯留タンクと前記噴射ノズルとを連結する送液配管と、を備えていることを特徴とするものである。
また、（２）本考案に係る防犯用マーキング液噴射装置は、
ア）マーキング液を貯留するマーキング液貯留タンクと、
イ）前記マーキング液貯留タンク内に配設され、前記マーキング液が流入する流入口と流入したマーキング液が排出される排出口を有する水中ウォーターポンプと、
ウ）店舗内の接客用カウンター近傍に配設され、電気的に前記水中ウォーターポンプが導通されることにより駆動状態とするスイッチと、
エ）店舗の外側の所定位置に設置された前記マーキング液を噴射する噴射ノズルと、
オ）前記水中ウォーターポンプの排出口と前記噴射ノズルとを連結する送液配管とを備えていることを特徴とするものである。
（３）本考案に係る前記（１）又は（２）に記載の防犯用マーキング液噴射装置は、前記スイッチが、更に店舗の出入口の扉と電気的に導通されており、マーキング液が排出されると同時に店舗の出入口の扉が閉った状態でロックされることを特徴とするものである。
（４）本考案に係る前記（１）又は（２）に記載の防犯用マーキング液噴射装置は、別のスイッチが前記スイッチとは異なった場所で、かつ店舗内の接客用カウンター近傍に配設され、前記別のスイッチは、直接、店舗の出入口の扉と電気的に導通されており、該スイッチをオンすると該扉が閉った状態でロックされることを特徴とするものである。
【考案の効果】
【００１０】
本考案によれば、マーキング液を噴射する噴射ノズルは店舗の外側の所定位置に設置され、店舗外に出て逃走体勢にある強盗犯に向けてマーキング液を噴射するようになっているので、スイッチの操作者が強盗犯から危害を加えられる可能性が小さく、また、店舗に防犯用マーキング液噴射装置が設置されていることを強盗しようとする人物が気づき、未然に犯罪行為を防ぐことができる可能性が大きい。
【００１１】
具体的に、前記（１）に記載の本考案に係る防犯用マーキング液噴射装置では、店舗内の接客用カウンター近傍に配設された前記押釦スイッチの押釦がオンされることにより前記水中ウォーターポンプが駆動状態となり、前記流入口から流入し前記排出口から排出される前記マーキング液貯留タンクに貯留するマーキング液が、前記送液配管を通過して店舗の外側の所定位置に設置された前記噴射ノズルから噴射されるという優れた効果を奏するものである。
【００１２】
前記（２）に記載の本考案に係る防犯用マーキング液噴射装置は、店舗内の接客用カウンター近傍に配設された前記押釦スイッチの押釦がオンされることにより前記水中ウォーターポンプが駆動状態となり、前記流入口から流入し前記排出口から排出される前記マーキング液貯留タンクに貯留するマーキング液が、前記送液配管を通過して店舗の外側の所定位置に設置された前記噴射ノズルから噴射されるという優れた効果を奏するものである。
【００１３】
前記（３）に記載の本考案に係る防犯用マーキング液噴射装置は、前記（１）又は（２）の記載において、前記スイッチが、更に店舗の出入口の扉と電気的に導通されており、マーキング液が排出されると同時に店舗の出入口の扉が閉った状態でロックされることにより、マーキング液を噴射された強盗犯が逆上して店舗内に戻って店員に危害を加えることを予防することが可能となる。更に前記（４）に記載の本考案に係る防犯用マーキング液噴射装置は、前記（１）又は（２）の記載において、別のスイッチが前記スイッチとは異なった場所で、かつ店舗内の接客用カウンター近傍に配設され、前記別のスイッチは、直接、店舗の出入口の扉と電気的に導通されており、該スイッチをオンすると該扉が閉った状態でロックされることにより、マーキング液を噴射された強盗犯が逆上して店舗内に戻ってこようとしても、別のスイッチをオンして自動又は手動の扉をロックするので、店舗内に入ることができない。したがって、店員は、危害を加えられることなく、警察への連絡ができるという優れた効果を奏するものである。
【考案を実施するための最良の形態】
【００１４】
以下、図面に基づいて本考案の実施の形態を説明する。
図１は、コンビニエンスストア、金融機関、貴金属店などの店舗の従業員（以下、単に店員という）が、本考案に係る防犯用マーキング液噴射装置を用いて店舗から逃走する強盗犯に対してマーキング液を噴射しようとするところを示す略図である。図１には金品を強奪した強盗犯が店舗の出入口から逃走している様子を示している。
【００１５】
店舗１には、商品の陳列棚３や接客用カウンター２が配置されており、強盗犯が接客用カウンター２にいる店員に金品を要求した際、店員は強盗犯の指示に従い金品を渡し強盗犯が店舗１から外に出たところを見計らって、接客用カウンター２に配設された押釦スイッチ（店員がいる側に配設しているので、図１では図示していない）の操作する。押釦スイッチは、店員が手で操作できるように接客用カウンターに配設してもよく、また、足で操作できるように接客用カウンター下方の床に配設してもよい。更に電子スイッチでもよい。これらは周知である。
【００１６】
押釦スイッチ２４の押釦がオンされると、店舗の外側の所定位置に配置された噴射ノズル５１、５２，５３（以下、総称して５と呼ぶこともある。）から噴射されたマーキング液が、逃走する強盗犯に付着し、強盗犯の早期逮捕に結びつき、検挙率の向上につながるとともに、再発防止にも寄与する。
【００１７】
図１に示すような店舗では、強盗犯がどちらの方向に逃走しても確実にマーキング液が強盗犯に命中するように、噴射ノズル５を店舗の敷地内（駐車場）の符号５１、５２，５３で示されるように３箇所に配置している。噴射ノズル５をどのように配置するかは、店舗の状況をみて決めればよい。防犯の観点からは、噴射ノズル５は人目に目立つような位置に配置することが好ましい。また逆に、噴射ノズル５は、強盗犯に察知されないように、例えば、防犯カメラ型又はこれと併用型、街灯型又はこれと併用型、スプリンガー型又はこれと併用型、樹木型、外柱型、銅像型などの形態でカモフラージュして設置してもよい。
【００１８】
マーキング液６としては、強盗犯に付着して目印となるものであれば何でもよく、例えば、蛍光塗料、発光塗料、着色液などの視覚的な目印となるもの、あるいは、タマネギの腐敗臭源であるメチルメルカプタン、足裏臭源であるイソ吉草酸などの嗅覚的な目印となるものでもよい。
【００１９】
図２は、本考案に係る防犯用マーキング液噴射装置の実施形態の基本的な構造を説明するための図である。防犯用マーキング液噴射装置Ｉは、マーキング液を貯留するマーキング液貯留タンク２１と、マーキング液貯留タンク２１と上水道２３との間の配管に配設される電磁弁２２と、店舗内の接客用カウンター２の近傍に配設されており電気的に電磁弁２２に導通し押釦がオンされることによりこの電磁弁２２を開放状態にする押釦スイッチ２４と、店舗の外側の所定位置に設置されたマーキング液６を噴射する噴射ノズル５１、５２，５３と、マーキング液貯留タンク２１と噴射ノズル５１、５２，５３とを連結する送液配管２６、２７、２８、２９、３０、３４とを備え、店舗内の接客用カウンター２の近傍に配設された押釦スイッチ２４の押釦がオンされることにより電磁弁２２が開放状態となり、上水道２３から上水道水がマーキング液貯留タンク２１に流入し、マーキング液貯留タンク２１に貯留するマーキング液６が、送液配管２６、２７、２８、２９、３０、３４を通過して店舗の外側の所定位置に設置された噴射ノズル５１、５２、５３から噴射されるように構成されている。
【００２０】
マーキング液貯留タンク２１は密閉した容器であり、容器の材質は特に限定されるものではなく、透明、あるいは不透明のプラスチック容器であっても、金属製の容器であってもよい。マーキング液貯留タンク２１は、店舗の目立たない位置で作業の障害とならない位置に設置されている。マーキング液貯留タンク２１の一方は、電磁弁２２に連結し、電磁弁２２が開放状態になると上水道水がマーキング液貯留タンク２１に流入するようになっている。マーキング液貯留タンク２１の他方は送液配管２６、２７、２８、２９、３０、３４が接続されており噴射ノズル５と連結している。図１では、送液配管２６はエルボ３２とチーズ３３を用いて三つの噴射ノズル５１、５２、５３と接続できるようになっている。
【００２１】
店員が店舗内の接客用カウンター２の近傍に配設された押釦スイッチ２４の押釦をオンすると、電磁弁２２が開放状態になり、上水道２３から上水道水がマーキング液貯留タンク２１に流れ込みマーキング液６が送液配管２６、２７、２８、２９、３０、３４を通過して噴射ノズル５１、５２、５３から略同時に噴射するようになっている。押釦スイッチ２４の押釦をオンしてマーキング液６が噴射ノズル５から噴射されるまでの時間は、電磁弁２２の動作は数１００ミリ秒であり、ほぼ１秒以内に噴射される。しかしながら、実際には、噴射されるまでの時間は、マーキング液貯留タンク２１から噴射ノズル５までの距離に依存することを考慮する必要がある。
【００２２】
押釦スイッチ２４の押釦をオンすると同時に店舗の出入口の扉４が閉った状態でロックさせるようにしてもよい。このように店舗の出入口の扉４が閉った状態でロックすることにより、マーキング液６を噴射された強盗犯が逆上して店舗内に戻って店員に危害を加えることを予防することが可能となる。また、店舗内の接客用カウンター２の近傍に電磁弁２２に電気的に導通して噴射ノズルを作動させるスイッチとは別に扉４に電気的に導通したスイッチを設け、該スイッチをオンして直接、扉４が閉った状態でロックされるようにしてもよい。更に扉４は開閉を自動又は手動で行うものでもいずれでもよい。押釦スイッチ２４の押釦をオンすると同時に電話回線を通じて、最寄りの警察に事件発生を通報できるようにしてもよい。
【００２３】
防犯用マーキング液噴射装置Ｉは、マーキング液６を噴射させる動力源は上水道の上水道水であるが、防犯用マーキング液噴射装置Ｉの設置に際して上水道設備に問題がある場合には、動力源を水中ウォーターポンプとすることも可能である。
【００２４】
図３は、本考案に係る防犯用マーキング液噴射装置の別の実施形態、すなわち、マーキング液を噴射させる動力源として送液ポンプを用いた形態の基本的な構造を説明するための図である。
【００２５】
防犯用マーキング液噴射装置ＩＩは、マーキング液を貯留するマーキング液貯留タンク２１と、マーキング液貯留タンク２１内に配設され、マーキング液が流入する流入口と流入したマーキング液６が排出される排出口を有する水中ウォーターポンプ３５と、店舗内の接客用カウンター２の近傍に配設されており電気的に水中ウォーターポンプ３５に導通し押釦がオンされることによりこの水中ウォーターポンプ３５を駆動状態にする押釦スイッチ２４と、店舗の外側の所定位置に設置されたマーキング液を噴射する噴射ノズル５と、水中ウォーターポンプ３５の排出口と噴射ノズル５１、５２、５３とを連結する送液配管２６、２７、２８、２９、３０、３４とを備え、店舗内の接客用カウンター２の近傍に配設された押釦スイッチ２４の押釦がオンされることにより水中ウォーターポンプ３５が駆動状態となり、流入口から流入し排出口から排出されるマーキング液貯留タンク２１に貯留するマーキング液６が、送液配管２６を通過して店舗の外側の所定位置に設置された噴射ノズル５から噴射されるように構成されている。  
【００２６】
マーキング液６を噴射させる動力源である水中ウォーターポンプ３５は、マーキング液が流入する流入口と流入したマーキング液が排出される排出口を有する。排出口は直接送液配管２６に連結することが好ましい。流入口はプラスチック製の管を繋ぎマーキング液貯留タンク２１に貯留するマーキング液６を吸い上げるようにしてもよい。マーキング液の噴射時間は任意に設定することができ、マーキング液貯留タンク２１に貯留されているマーキング液６が空になるまで噴射するようにしてもよいし、一定時間噴射したら停止するように制御してもよい。押釦スイッチ２４をオンしてからマーキング液６が噴射ノズル５から噴射されるまでの時間は、マーキング液貯留タンク２１から噴射ノズル５までの距離と水中ウォーターポンプ３５の容量に依存する。
【００２７】
なお、マーキング液貯留タンク２１、噴射ノズル５、送液配管２６、２７、２８、２９、３０、３４については、防犯用マーキング液噴射装置Ｉでの説明とほぼ同じであり、省略する。
【産業上の利用可能性】
【００２８】
本考案は、コンビニエンスストア、金融機関、貴金属店などの店舗への侵入強盗事件が後を絶たず、ときには尊い命が奪われることもあり、このような昨今において、店員を安全に守りかつ金品の盗難による災難にも有効に作用し、今後、この盗難防止の技術分野においても有用なものである。
【図面の簡単な説明】
【００２９】
【図１】店員が、本考案に係る防犯用マーキング液噴射装置を用いて店舗から逃走する強盗犯に対してマーキング液を噴射しようとするところを示す略図である。
【図２】本考案に係る防犯用マーキング液噴射装置の実施形態を示す略図である。
【図３】本考案に係る防犯用マーキング液噴射装置の別の実施形態を示す略図である。
【符号の説明】
【００３０】
Ｉ、ＩＩ  防犯用マーキング液噴射装置
１  店舗
２  接客用カウンター
３  陳列棚
４  ドア
５（５１，５２，５３）  噴射ノズル
６  マーキング液
７  道路
８  駐車場
２１  マーキング液貯留タンク
２２  電磁弁
２３  上水道
２４  押釦スイッチ
２６、２７、２８、２９、３０、３４ 送液配管
３５  水中ウォーターポンプ  
【図１】
0003150202.tif 000003
【図２】
0003150202.tif 000004
【図３】
0003150202.tif 000005